(57)【要約】【課題】従来のハンガー装置では、第１のハンガー手段の上ハンガーと第２のハンガー手段の上ハンガーとの引っ掛け合いを維持したまま、止め手段を隙間に充填する際、当該充填行為を第２ハンガー手段の間隙方向で行うため、凹陥部に装置することが困難であった。【解決手段】第１のハンガー手段５１は、上下それぞれに鈎が上の方へ延びているハンガー５１１，５１２を有し、第２のハンガー手段５２は、上下それぞれに鈎が下の方へ延びているハンガー５２１，５２２を有し、且つ、第２のハンガー手段５２に、その下ハンガー５２２の下方において、後方へ開口する溝５２３が開けられており、第１のハンガー手段５１に、その下ハンガー５１２の下方において、第２のハンガー手段５２が第１のハンガー手段５１に引っ掛けられている際、後ろから前へと溝５２３に挿入されて上下移動不能に係止することができる止め板５１３を設けた。【選択図】図１
0003132548.tif 000002
【実用新案登録請求の範囲】
【請求項１】
直立面の面上に設置する第１のハンガー手段と、吊下げ物品の背面に設置する第２のハンガー手段とからなっていて前記第１のハンガー手段と前記第２のハンガー手段との間の引っ掛け合いにより前記吊下げ物品を前記直立面に装置するハンガー装置であって、
前記第１のハンガー手段は、上下それぞれに鈎が上の方へ延びているハンガーを有し、
前記第２のハンガー手段は、上下それぞれに鈎が下の方へ延びていて上から下へとそれぞれ前記第１のハンガー手段における上下ハンガーに挿入して引っ掛けられるハンガーを有し、
且つ、前記第２のハンガー手段に、その下ハンガーの下方において、後方へ開口する溝が開けられており、
前記第１のハンガー手段に、その下ハンガーの下方において、前記第２のハンガー手段における上下ハンガーがそれぞれ前記第１のハンガー手段における上下ハンガーに引っ掛けられている際、後ろから前へと前記溝に挿入されて上下移動不能に係止されることができる止め板が設けてあることを特徴とするハンガー装置。
【請求項２】
前記止め板は、前後移動可能に、前記第１のハンガー手段における下ハンガーの下方に設置されていて、前記第２のハンガー手段における上下ハンガーがそれぞれ前記第１のハンガー手段における上下ハンガーに引っ掛けられている際、前記溝と係止になっていない後方の位置から前方の係止位置に移動されることができることを特徴とする請求項１に記載のハンガー装置。
【請求項３】
前記止め板は、長尺形でその厚さが丁度前記溝に挿入されて係止されうる板本体と、該板本体の長尺形両端の少なくとも一つから立ち上がった穴付ラグとからなっており、
前記第１のハンガー手段に、その両側面の前記穴付ラグと対応している少なくとも一つにおいて、穴が開けてあり、
また、前記穴付ラグと前記第１のハンガー手段の側面にある穴の一方が前後の方向に延びている長孔であって他方が円孔である上、該長孔と該円孔との互いに対応すること及び調整ネジによる挿通及び締付けにより、前記止め板を前記第１のハンガー手段に緩め可能に固定していることを特徴とする請求項２に記載のハンガー装置。
【請求項４】
前記止め板は、前記板本体の上面において突起を有し、
前記第１のハンガー手段は、その下ハンガーの下方において底板を有し、該底板に、前記突起が突入していて前記止め板が後ろから前へと移動されると前記突起を案内してその前端近くで係止するガイド溝が開けてあることを特徴とする請求項３に記載のハンガー装置。
【請求項５】
前記ガイド溝は、後方から前方へ、且つ、前記第１のハンガー手段の前記穴を有する一側面の方から他の側面の方へと斜めになったことを特徴とする請求項４に記載のハンガー装置。
【請求項６】
前記長孔は、その前端が開口となったものであることを特徴とする請求項３に記載のハンガー装置。
【請求項７】
前記穴付ラグと前記第１のハンガー手段の該穴付ラグと対応する側面との間に圧縮ばねが介入していて前記調整ねじの締め付けにより前記穴付ラグと前記側面とに挟まれながらそれらと拮抗し、前記締め付けを強めることができることを特徴とする請求項３に記載のハンガー装置。
【考案の詳細な説明】
【技術分野】
【０００１】
本考案は、例えば薄形液晶テレビなどの電子装置のディスプレイや絵、掲示板などを壁などの直立面（鉛直面）に装置するためのハンガー装置に関する。
【背景技術】
【０００２】
第１の従来のハンガー装置は、図１４に示すように、壁などの直立面（鉛直面）３の面上に設置する第１のハンガー手段２１と、薄型液晶テレビのディスプレイというような吊下げ物品１の背面に設置する第２のハンガー手段２２とからなっているので、第１のハンガー手段２１と第２のハンガー手段２２との間の引っ掛け合いにより吊下げ物品１を直立面（鉛直面）３に設置することができる。
【０００３】
具体的には、図１４を詳しく見ると、この従来のハンガー装置における第１のハンガー手段２１は、その上部、下部で反対の方向へ各々鈎状に延びているハンガー２１１、２１２を有し、第２のハンガー手段２２は、その上部、下部で相対する方向へ各々鈎状に延びているハンガー２２Ａ、２２Ｂを有する。
即ち上記構成を採用することにより、第１のハンガー手段２１と第２のハンガー手段２２とを互いに引っ掛け合わせようとする時、まずは第２のハンガー手段２２の上ハンガー２２Ａを上から下へと第１のハンガー手段２１の上ハンガー２１１に挿入して、引っ掛けることができる。
【０００４】
ところが、第２ハンガー手段２２の上ハンガー２２Ａと第１ハンガー手段２１の上ハンガー２１１とを互いに掛け合わせた状態では、第２のハンガー手段２２の下ハンガー２２Ｂと、第１のハンガー手段２１の下ハンガー２１２との間にある程度の隙間が開き、そうすると、第２のハンガー手段２２の上ハンガー２２Ａと第１のハンガー手段２１の上ハンガー２１１との間の引っ掛け合いを維持したまま、第２のハンガー手段２２の下ハンガー２２Ｂを直接に下から上へと第１のハンガー手段２２の下ハンガー２１２に挿入して、引っ掛けることができない。
【０００５】
このような問題点を排除し、即ち、上下二対の鈎状部分同士（上ハンガー２２Ａと上ハンガー２１１、及び、下ハンガー２２Ｂと下ハンガー２１２）を互いに引っ掛け合わせて吊下げ物品１を直立面（鉛直面）３に移動不能にしっかりと設置するために、第２の従来のハンガー装置は、図１５に示すように、他に、止め手段２３を採用している。この止め手段２３は互いに直交する２つの立て板部分からなり、既述の第１の従来のハンガー装置で生じた隙間に止め手段２３が挿入されることによって、下ハンガー２２Ｂと下ハンガー２１２との間に生じた上下方向（第２ハンガー手段２２長手方向）のスペースに一方の立て板部分が充填され、下ハンガー２２Ｂと下ハンガー２１２との間に生じた前後方向（第１ハンガー手段２１と第２ハンガー手段２２との間隙方向）のスペースに他方の立て板部分が充填される。
【考案の開示】
【考案が解決しようとする課題】
【０００６】
しかしながら、図１５に示すように、上ハンガー２２Ａと上ハンガー２１１との間の引っ掛け合いを維持したまま止め手段２３を上記隙間に入れて上記２のスペースに充填する際、該止め手段２３の上記隙間への挿入を前後の方向（第１ハンガー手段２１と第２ハンガー手段２２との間隙方向）ではなく、左右の方向（第２ハンガー手段２２同士の間隙方向）で行わなければならないので、このハンガー装置では、吊下げ物品１を左右の余剰スペースが限度ある直立面（鉛直面）、例えば壁上の左右の余剰スペースに限度のある凹陥部に装置することができない。
【０００７】
上記問題点に鑑みて、本考案は、まず、その上下二対の鈎状部分同士を同時に引っ掛け合いにさせるハンガー装置を提供することを目的とする。
そして、本考案は、上記目的と共に、他にも上記従来の止め手段と異なる止め手段を有し、該止め手段の動作は左右の方向（第２ハンガー手段同士の間隙方向）ではなく、前後の方向（第１ハンガー手段と第２ハンガー手段との間隙方向）で行われる上、上鈎状部分同士の引っ掛け合いがされる前に、先に直立面（鉛直面）の面上に設置予定の第１のハンガー手段に上記従来の止め手段と異なる止め手段が設けられており、当該止め手段により吊下げ物品を直立面（鉛直面）に移動不能にしっかりと装置することができるばかりでなく、その使用も左右乃至前後の方向における上記余剰スペースの大小に制限されないハンガー装置を提供することを目的とする。
【課題を解決するための手段】
【０００８】
上記目的を達成するために、本考案は、直立面（鉛直面）の面上に設置する第１のハンガー手段と、吊下げ物品の背面に設置する第２のハンガー手段とからなっていて上記第１のハンガー手段と上記第２のハンガー手段との間の引っ掛け合いにより上記吊下げ物品を上記直立面（鉛直面）に装置するハンガー装置であって、上記第１のハンガー手段は、上下それぞれに鈎が上の方へ延びているハンガーを有し、上記第２のハンガー手段は、上下それぞれに鈎が下の方へ延びていて上から下へとそれぞれ上記第１のハンガー手段における上下ハンガーに挿入して引っ掛けられるハンガーを有し、且つ、上記第２のハンガー手段に、その下ハンガーの下方において、後方へ開口する溝が開けられており、上記第１のハンガー手段に、その下ハンガーの下方において、上記第２のハンガー手段における上下ハンガーがそれぞれ上記第１のハンガー手段における上下ハンガーに引っ掛けられている際、後ろから前へと上記溝に挿入されて上下移動不能に係止されることができる止め板が設けてあることを特徴とするハンガー装置を提供する。
【考案の効果】
【０００９】
上記構造による本考案に係るハンガー装置では、第１のハンガー手段における鈎状ハンガーがいずれも上の方へ延び、第２のハンガー手段における鈎状ハンガーがいずれも下の方へ延びているので、上記従来のような隙間がないまま、上下二対の鈎状部分同士を同時に引っ掛け合いにさせることができる。
そして、第２のハンガー手段に後方へ開口する溝が開けられており、第１のハンガー手段に上下二対の上記鈎状部分同士が同時に引っ掛け合いになった際、後ろから前へと上記溝に挿入されて上下移動不能に係止されることができる止め板が設けてあるので、吊下げ物品を直立面（鉛直面）に移動不能にしっかりと装置することができる上、その使用も左右乃至前後の方向における余裕スペースの大小に制限されない、という効果がある。
【考案を実施するための最良の形態】
【００１０】
以下、図面を参照しながら本考案のハンガー装置の好ましい実施形態例を説明する。
図１は、本考案にかかるハンガー装置の実施形態例の分解斜視図である。図２及び図３は、図１のハンガー装置が例えば液晶テレビ等のディスプレイの設置に適用された時の側面図であり、図２は後述する止め板が未係止位置にある状態を示しており、図３はその止め板が後述する第２ハンガー手段を、そこに設けられた溝で係止する係止位置にある状態を示している。
【００１１】
図１に示すように、この例のハンガー装置５は、直立面（鉛直面）の面上（図２、３に示す使用例においては壁上に形成された凹陥部内の直立面（鉛直面）９の面上）に設置する第１のハンガー手段５１と、薄型液晶テレビ等の吊下げ物品の背面に設置する第２のハンガー手段５２とからなっていて、この第１のハンガー手段５１と第２のハンガー手段５２との間の引っ掛け合いにより吊下げ物品を直立面（鉛直面）に装置するものである。
第１のハンガー手段５１は、板状で、その四方の縁に壁を備えており、その上部、下部（第２ハンガー手段５２の長手方向上側の壁、第２ハンガー手段５２長手方向下側の壁）それぞれに第２ハンガー手段５２長手方向上側に向けて鈎状に延びているハンガー５１１、５１２を有しており、その両側面（第２のハンガー手段５２同士の間隙方向側の壁）５１４、５１４には、それぞれ前後の方向（第１のハンガー手段５１と第２のハンガー手段５２との間隙方向）に延びている長孔５１５、５１５が開けてある。
【００１２】
第２のハンガー手段５２は、断面コの字状の長尺状で、かつ第１のハンガー手段５１側が開放され、その上部、下部（長手方向両端側）それぞれにて長手方向下側に向けて鈎状に延び、それぞれが第１のハンガー手段５１における上下ハンガー５１１、５１２に上から下へ挿入されて引っ掛けられるハンガー５２１、５２２を有し、且つ、その下ハンガー５２２の下方において、後方（第１のハンガー手段５１側）へ開口する溝５２３が開けられている。
【００１３】
更に、第１のハンガー手段５１に、その下ハンガー５１２の下方において止め板５１３が設けてある。該止め板５１３は、第１のハンガー手段５１の下ハンガー５１２の下方において、第２のハンガー手段５２における上下ハンガー５２１、５２２がそれぞれ第１のハンガー手段５１における上下ハンガー５１１、５１２に引っ掛けられている際、後ろから前へ（第１ハンガー手段５１側から第２ハンガー手段５２側へ）と溝５２３に挿入されて、第２ハンガー手段５２を上下（第２ハンガー手段５２長手方向に）移動不能に係止することができるように、設置されている。
【００１４】
図１をもっと詳しく見ると、この例においては、止め板５１３は、長尺形であり、その幅が丁度後方から前方へ（第１ハンガー手段５１側から第２ハンガー手段５２側へ）と溝５２３に挿入されて第２ハンガー手段５２を係止できるように設定された板本体５１３ａと、該板本体５１３ａの長手方向両端から立ち上がった円孔５１３ｃ、５１３ｃ付ラグ５１３ｂ、５１３ｂとからなっている。円孔５１３ｃは雌ねじとなっている。前記長孔５１５、５１５と円孔５１３ｃ、５１３ｃとが互いに対応しており、調整ネジ５３、５３が、長孔５１５に挿通され、円孔５１３ｃに締付けられることにより、止め板５１３は、第１のハンガー手段５１に緩め可能に固定されているので、第２のハンガー手段５２における上下ハンガー５２１、５２２がそれぞれ第１のハンガー手段５１における上下ハンガー５１１、５１２に引っ掛けられている際、上記調整ネジ５３、５３が緩められると、溝５２３に挿入されていない、すなわち第２のハンガー手段５２を係止しない後方（第１ハンガー手段５１側）の未係止位置（図２参照）から、第２のハンガー手段５２を係止する前方（第２ハンガー手段５２側）の係止位置（図３参照）に移動させることができる。
【００１５】
次に、この実施形態例の第１の変形例を説明する。
この例のハンガー装置５Ａの構成は、基本的に第１の実施形態例のハンガー装置５のとほぼ同じだが、以下その相違点だけについて述べる。図４に示すように、その止め板５１３Ａは、ただ板本体５１３ｄの一端（図示における右端）にそこから第１のハンガー手段５１Ａの短手方向に延びる側面５１４Ａに沿って立ち上がった円孔５１３ｆ付ラグ５１３ｅを有し、板本体５１３ｄの上面において２の突起５１６Ａ、５１６Ａを有する。
【００１６】
第１のハンガー手段５１Ａは、ただその一側面５１４Ａ（図示における右側面）に長孔５１５Ａが開けられ、その下ハンガー５１２Ａの下方においてガイド溝５１８Ａ、５１８Ａが開けてある底板５１７Ａを有する。
図５，７に示すように、第１のハンガー手段５１Ａの底板５１７Ａには、ガイド溝５１８Ａに到達する導入溝が開いている。この導入溝が底板５１７Ａの縁から第２ハンガー手段５２Ａに向かって伸びている。ガイド溝５１８Ａ、５１８Ａは、図５及び図７に示すように、その後端で上記導入溝と繋がっており、上記導入溝に対して屈曲し、すなわち後方から前方へ（第１ハンガー手段５１Ａ側から第２ハンガー手段５２Ａ側へ）、且つ、第１のハンガー手段５１Ａの長孔５１５Ａを有する一側面５１４Ａの方から他側面５１４Ａの方へと底板５１７Ａに斜めに形成されている。
【００１７】
そして、第１の変形例では、第１のハンガー手段５１Ａが直立面（鉛直面）に設置された状態において、突起５１６Ａ、５１６Ａはガイド溝５１８Ａ、５１８Ａの後端まで突入しているので（図５，６参照）、調整ねじ５３を締めることにより、止め板５１３Ａを、溝５２３Ａに挿入されていない、すなわち第２ハンガー手段５２Ａが係止されていない後方（第１ハンガー手段５１側）の未係止位置（図６参照）から前方（第２ハンガー手段５２側）の係止位置（図８参照）へと移動させることができ、それら突起５１６Ａをガイド溝５１８Ａ、５１８Ａに沿って案内してガイド溝５１８Ａ、５１８Ａの前端近くに係止することができる。即ち、当該第１の変形例のように、止め板の第１のハンガー手段に対する連係構成を少し改造すると、長孔と円孔とからなるペアは、一対しかなくても良く、止め板及び第１のハンガー手段の両端に設ける必要がなくなる。
【００１８】
次に、この実施形態例の第２の変形例を説明する。
この例のハンガー装置５Ｂの構成は、基本的に第１の変形例のハンガー装置５Ａのとほぼ同じだが、以下その相違点だけについて述べる。図９に示すように、その止め板５１３Ｂのラグ５１３ｈについているのは、円孔でなく、その前端（第２ハンガー手段５２Ｂ側）が開口された長孔５１３ｉであり、また、それに対して、その第１のハンガー手段５１Ｂの側面５１４Ｂに開けてあるのは、長孔ではなく円孔５１５Ｂである。即ち、ラグと第１のハンガー手段の側面とのいずれか一方に長孔が、他方に円孔がついていれば良く、すなわち、ラグ５１３ｈに円孔が開いていて、上記一方の側面５１４Ｂに長孔が開いていても良い。
【００１９】
また、図１０と図１２に示すように、ラグ５１３ｈが第１ハンガー手段５１Ｂの側面５１４Ｂよりも外側に配され、長孔５１３ｉ付ラグ５１３ｈと第１のハンガー手段５１Ｂの側面５１４Ｂとの間に圧縮ばね５１７Ｂが介入しているため、止め板５１３Ｂは、第２のハンガー手段５２Ｂにおける上下ハンガー５２１Ｂ、５２２Ｂがそれぞれ第１のハンガー手段５１Ｂにおける上下ハンガー５１１Ｂ、５１２Ｂに引っ掛けられている際、第２ハンガー手段５２Ｂを溝５２３Ｂで係止していない後方（第１ハンガー手段５１Ｂ側）の未係止位置（図１１参照）から、前方の係止位置（図１３参照）に移動させると、該圧縮ばね５１７Ｂは、図１２に示すように、調整ねじ５３Ｂの締め付けにより長孔５１３ｉ付ラグ５１３ｈと上記側面５１４Ｂとに挟まれながらそれらと拮抗し、調整ねじ５３Ｂの緩みを防止することができる。
【００２０】
そして、当該構成を採用することにより、調整ねじ５３Ｂを緩めるだけで止め板５１３Ｂを上記係止位置から上記未係止位置へ自動的に移動させることができる。
以上、本考案の好適な実施形態例について説明したが、本考案は前記実施形態例に限定して狭義に解釈されるものではなく、本考案の思想の範囲内において種々の変形や変更が可能である。
《本実施形態例におけるハンガー装置の効果》
以上、実施形態例で詳細に説明したように、本考案のハンガー装置は、従来のような隙間がないまま、上下二対の鈎同士を同時に引っ掛け合わせて吊下げ物品を直立面（鉛直面）に移動不能にしっかりと装置することができる上、その使用も左右乃至前後の方向における余剰スペースの大小に制限されない、という効果がある。
【産業上の利用可能性】
【００２１】
本発明に係るハンガー装置は、設置スペースに余裕のない直立面（鉛直面）でも吊り下げ物品をぐらつきなく設置することができ、その産業上の利用可能性は非常に大きい。
【図面の簡単な説明】
【００２２】
【図１】本考案にかかるハンガー装置の実施形態例の分解斜視図である。
【図２】本考案にかかるハンガー装置が液晶テレビ等のディスプレイに使用された時における未係止位置での側面図である。
【図３】本考案にかかるハンガー装置が液晶テレビ等のディスプレイに使用された時における係止位置での側面図である。
【図４】実施形態例の第１の変形例の分解斜視図である。
【図５】第１の変形例のハンガー装置において突起がガイド溝の後端に位置する状態での平面断面図である。
【図６】第１の変形例のハンガー装置が液晶テレビ等のディスプレイに使用された時における係止位置での側面図である。
【図７】第１の変形例のハンガー装置において突起がガイド溝の前端に位置する状態での平面断面図である。
【図８】第１の変形例のハンガー装置が液晶テレビ等のディスプレイに使用された時における係止位置での側面図である。
【図９】実施形態例の第２の変形例の分解斜視図である。
【図１０】第２の変形例において、圧縮ばねが未圧縮状態での要部平面図である。
【図１１】第２の変形例のハンガー装置が液晶テレビ等のディスプレイに使用されたときにおける未係止位置での側面図である。
【図１２】第２の変形例において、圧縮ばねが圧縮状態での要部平面図である。
【図１３】第２の変形例のハンガー装置が液晶テレビ等のディスプレイに使用されたときにおける係止位置での側面図である。
【図１４】第１の従来のハンガー装置が液晶テレビ等のディスプレイに使用されたときにおける未掛合状態での側面図である。
【図１５】第２の従来のハンガー装置の斜視図である。
【符号の説明】
【００２３】
５、５Ａ、５Ｂ：ハンガー装置
５１、５１Ａ、５１Ｂ：第１のハンガー手段
５１１、５１２、５１２Ａ、５１１Ｂ、５１２Ｂ：ハンガー
５１３、５１３Ａ、５１３Ｂ：止め板
５１３ａ、５１３ｄ：板本体
５１３ｂ、５１３ｅ：円孔付ラグ
５１３ｃ、５１３ｆ、５１５Ｂ：円孔
５１３ｈ：長孔付ラグ
５１４、５１４Ａ、５１４Ｂ：側面
５１５、５１５Ａ、５１３ｉ：長孔
５１６Ａ：突起
５１７Ａ：底板
５１７Ｂ：圧縮ばね
５１８Ａ：ガイド溝
５２、５２Ａ、５２Ｂ：第２のハンガー手段
５２１、５２２、５２１Ｂ、５２２Ｂ：ハンガー
５２３、５２３Ａ、５２３Ｂ：溝
５３、５３Ｂ：調整ネジ
８：吊下げ物品
９：直立面（鉛直面）
【図１】
0003132548.tif 000003
【図２】
0003132548.tif 000004
【図３】
0003132548.tif 000005
【図４】
0003132548.tif 000006
【図５】
0003132548.tif 000007
【図６】
0003132548.tif 000008
【図７】
0003132548.tif 000009
【図８】
0003132548.tif 000010
【図９】
0003132548.tif 000011
【図１０】
0003132548.tif 000012
【図１１】
0003132548.tif 000013
【図１２】
0003132548.tif 000014
【図１３】
0003132548.tif 000015
【図１４】
0003132548.tif 000016
【図１５】
0003132548.tif 000017